(57)【要約】【課題】  表示装置において、表示パネルの表示面と平面方向から振動や衝撃を受けた場合でも、フロントフレームとリアフレームの固定が外れることのない耐衝撃性の固定構造を可能とする。【解決手段】  画像を表示する表示パネル２と、表示パネル２が載置されたミドルフレーム８と、ミドルフレーム８が内側に配置されるリアフレーム９と、表示パネル２の表示面２ａを露出させる開口部が設けられ、表示パネル２の表示面２ａと略平行な面９ｃに、表示面２ａ側とは反対の面２ｂ側へ突出し、ミドルフレーム８と接続する接続部９ｄを有するフロントフレーム９とを備える。【選択図】  図３
2008158306.tif 000002
【特許請求の範囲】
【請求項１】
画像を表示する表示パネルと、
前記表示パネルが載置されたミドルフレームと、
前記ミドルフレームが内側に配置されるリアフレームと、
前記表示パネルの表示面を露出させる開口部が設けられ、前記表示パネルの表示面と略平行な面に、表示面側とは反対の面側へ突出し、前記ミドルフレームと接続する接続部を有するフロントフレームと、
を備えることを特徴とする表示装置。
【請求項２】
前記フロントフレームの接続部は、前記ミドルフレームに形成された孔と嵌合することを特徴とする請求項１記載の表示装置。
【請求項３】
前記フロントフレームの接続部は、前記フロントフレームの前記表示パネルの表示面と略平行な４辺の面に形成されていることを特徴とする請求項１または２記載の表示装置。
【請求項４】
画像を表示する表示パネルと、
前記表示パネルが載置されたミドルフレームと、
前記ミドルフレームが内側に配置されるリアフレームと、
前記表示パネルの表示面を露出させる開口部が設けられ、前記リアフレームの前記表示パネルの表示面側とは反対側の面と重畳する面に、前記ミドルフレームまたは前記リアフレームと接続する接続部を有するフロントフレームと、
を備えることを特徴とする表示装置。
【請求項５】
前記フロントフレームの接続部は、孔で形成され、前記リアフレームの前記表示パネルの表示面側とは反対側の面に、外側へ突出し形成された突起部と嵌合することを特徴とする請求項４記載の表示装置。
【請求項６】
画像を表示する表示パネルと、
前記表示パネルの表示面を露出させる開口部が設けられ、側面に内側へ折り曲げられ、孔または突起部を有する折り曲げ部が設けられたフロントフレームと、
前記表示パネルが載置され、前記フロントフレーム側面と対向する側面に形成された切欠部において、前記フロントフレームの折り曲げ部の孔または突起部と接続する接続部を有するミドルフレームと、
を備えることを特徴とする表示装置。
【発明の詳細な説明】
【技術分野】
【０００１】
本発明は、耐衝撃性の固定構造を有するフレームを備えた表示装置に関する。
【背景技術】
【０００２】
従来の表示装置は、例えば液晶を用いた表示装置において、表示パネルに光を導くため導光板を表示パネルの表示面とは反対側の面に配置し、導光板の側面には、発光ダイオード（ＬＥＤ：Light Emitting Diode）などの光源を配置している。光源からの光を導光板内において伝播させ、導光板内に設けられる拡散パターンで拡散させることによって、表示面に光を取り出している。
【０００３】
さらに、導光板を支持するミドルフレームを配置し、導光板の表示パネルを配置した面と反対側の面には、導光板の水平方向の移動を支持するリアフレームを配置し、表示パネルの表示面には、表示パネルとミドルフレームとを支持し開口部を有するフロントフレームを配置している。
【０００４】
従来の表示装置では、上フレームに上フレーム爪が形成され、下フレームに上フレーム爪と対応した位置に下フレームスロットを形成し嵌合させることで、上フレームと下フレームの固定をおこなっている（例えば、特許文献１参照）。
【０００５】
また、その他の従来の表示装置において、放熱板の左右にそれぞれ２個の放熱板の突起部を設けて、その各々２個の放熱板の突起部が成形フレームの段落ち部に入るように、放熱板の凹部に成形フレームの突起部が入るように放熱板を配置する。その上から裏板を載せて成形フレームに取り付ける。ここで、裏板の曲げ部付近に設けた裏板の穴から成形フレームの突起部が少し突き出るようにし、放熱板の突起部は裏板の曲げ部の曲げの内側、つまり成形フレームの側板と同じ面までとしているものもある（例えば、特許文献２参照）。
【０００６】
【特許文献１】特開平７−１９９１８０号公報
【０００７】
【特許文献２】特開平１１−１３３３９３号公報
【発明の開示】
【発明が解決しようとする課題】
【０００８】
上記特許文献１記載の従来技術においては、表示パネルの表示面と平面方向から振動や衝撃を受けた場合、上フレーム（フロントフレーム）の側面にて振動や衝撃を吸収するため、上フレームがひらき上フレーム爪（固定爪）と下フレームスロット（爪受け部）との嵌合が外れてしまう。
【０００９】
また、特許文献２において、成形フレーム（ミドルフレーム）に設けられた突起部は、放熱板の位置規制用であって、フロントフレームとリアフレームの固定に関しては、開示または示唆は一切なされていない。
【００１０】
本発明はこのような問題点に鑑みてなされたものであり、表示装置において、表示パネルの表示面と平面方向から振動や衝撃を受けた場合でも、フロントフレームとリアフレームの固定が外れることのない耐衝撃性の固定構造を有する表示装置を提供することを目的としている。
【課題を解決するための手段】
【００１１】
本発明による表示装置は、画像を表示する表示パネルを載置したミドルフレームが内側に配置されるリアフレームと、表示パネルの表示面を露出させる開口部が設けられ、表示パネルの表示面と略平行な面に、表示面側とは反対の面側へ突出し、ミドルフレームと接続する接続部を有するフロントフレームとを備えることを特徴とする。
【発明の効果】
【００１２】
本発明の表示装置によれば、表示パネルの表示面と平面方向から振動や衝撃を受けた場合でも、フロントフレームとリアフレームの固定が外れることのない耐衝撃性の固定構造を有する表示装置を得ることが可能となる。
【発明を実施するための最良の形態】
【００１３】
以下に、本発明の適用可能な実施の形態が説明される。以下の説明は、本発明の実施形態を説明するためのものであり、本発明が以下の実施形態に限定されるものではない、説明の明確化のため、以下の記載は、適宜、省略及び簡略化がなされている。又、当業者であれば、以下の実施形態の各要素を、本発明の範囲において容易に変更、追加、変換することが可能であろう。
【００１４】
実施の形態１．
図１は本発明の実施の形態１における表示装置の分解斜視図、図２は図１分解図を全て結合して表示装置を完成させた場合の平面図、図３は図２におけるＡ−Ａ断面図、図４は図２におけるＢ−Ｂ断面図、図５〜図８は本発明の実施の形態１における他のフレーム固定構造を説明する図である。
【００１５】
図１〜図８において、冷陰極蛍光ランプ（ＣＣＦＬ）などの光源１を、該光源１からの光を表示パネル２の表示面２ａへ導き拡散するために、導光板３の側面３ａ側に配置させる。導光板３の反出光面３ｂ（ここで、反出光面とは導光板３における紙面下方の面を言う）には、光の伝播方向を乱して出光面３ｃ（ここで、出光面とは導光板３における紙面上方の面を言う）に光を導くための光散乱部が形成されている（図示せず）。この光散乱部は、導光板内を伝播する光の全反射条件を乱すことで、導光板から光を取り出す手段として機能する。さらに具体的には、前記散乱する手段として、導光板３の反出光面３ｂにドットパターンを印刷する方法や、反出光面３ｂを粗面にする方法、微小な球面やプリズムなどの光の伝播方向を変化させる凹凸を反出光面３ｂに形成する方法等がある。
【００１６】
導光板３は、ポリエチレンテレフタレート（ＰＥＴ）、アクリル（ＰＭＭＡ）、ポリカーボネート（ＰＣ）、もしくはシクロオレフィン系などの樹脂板またはガラス基板などの光を透過する機能を有するものである。特に、ポリカーボネートやシクロオレフィン系樹脂を使用することにより、温度変化による導光板３の寸法変化が少なくなり、より広い温度範囲で使用することができるので好ましい。
【００１７】
導光板３の反出光面３ｂ側には、光を有効的に反射させるように反射シート４を設け、金属または樹脂等からなるリアフレーム５の内部に導光板３および反射シート４を配設している。反射シート４の材質としては、銀、アルミニウム、ステンレスなどの金属性のものや、蛍光剤を含有した発泡性ＰＥＴフィルム（白色ＰＥＴフィルム）などである。特に、白色ＰＥＴフィルムは、反射面の傷が目立ち難く取り扱いが容易であるため好ましい。
【００１８】
また、導光板３の出光面３ｃ側には、光を効果的に利用するための複数枚の光学シートからなる光学シート類６を配置する。
【００１９】
なお、光学シート類６はレンズシートを拡散シートで挟み込む構成である。また、輝度の向上が必要な場合には、複数枚のレンズシートをその表面に形成されるシートのプリズムの方向を考慮して組み合わせてもよい。また、拡散シートは、拡散性を向上させる場合に、２枚以上用いることが可能である。さらに、レンズシートの配光特性によってはレンズシートを１枚としてもよいし、または使用しなくてもよい。さらに、レンズシートと偏光反射シートとを組み合わせてもよい。また、いずれも使用しないこともでき、求める輝度や配光特性等を鑑みて最適化することが好ましい。
【００２０】
また、導光板３の側面３ａ側に、ランプリフレクタ７を導光板３の側面３ａ側に開口部を有し、光源１を覆うように配置する。
【００２１】
また、光源１、導光板３、反射シート４、光学シート類６およびランプリフレクタ７は、リアフレーム５の上面（ここで、上面とはリアフレーム５における紙面上方の面を言う）に配置され、リアフレーム５と金属または樹脂等からなるミドルフレーム８により挟持されている。さらに、光源１、表示パネル２、導光板３、反射シート４、光学シート類６、ランプリフレクタ７およびミドルフレーム８は、リアフレーム５と、開口部を有するフロントフレーム９で挟持されている。なお、図１では導光板３の１つの側面にのみ光源１を設けているが、本発明はこれに限らず導光板の２つの側面以上に光源及び光源基板を設けても良い。さらに、光源１としては、ＣＣＦＬ以外に、発光ダイオード（Light Emitting diode）やレーザーダイオード（Laser Diode）などの点光源でもよい。
【００２２】
また、開口部を有するフロントフレーム９は、該フロントフレーム９の側面９ａの複数部にプレス加工等で形成された固定爪９ｂを有し、リアフレーム５と、該リアフレーム５の側面５ａの爪受け部５ｂに屈曲カシメを施すことで固定している。
【００２３】
図１〜図４に示す通り、本実施の形態において、アルミニウム、ステンレス、鉄等の金属材からなるフロントフレーム９は、表示パネル２の表示面２ａと略平行な面９ｃに、表示面２ａとは反対側の面（反表示面２ｂ）側へ突出し、ミドルフレーム８に形成された接続部８ａと嵌合する接続部９ｄを有し、ミドルフレーム８の接続部８ａとフロントフレーム９の接続部９ｄとが接する接触面９ｅ、９ｆ、９ｇおよび９ｈを設けている。ミドルフレーム８に形成された接続部８ａは、孔、貫通孔または貫通していない溝であってもよい。
【００２４】
なお、本実施の形態において、フロントフレーム９の接続部９ｄは、ミドルフレーム８の１辺に沿って設けられた接続部８ａの両端部にそれぞれ１箇所ずつ設けられており、上下方向（ここで、上下方向とは図２記載フロントフレーム９における紙面上方向と紙面下方向を言う）の振動や衝撃には、接触面９ｅ及び／又は９ｆ、左右（ここで、左右方向とは図２記載フロントフレーム９における紙面左方向と紙面右方向を言う）方向の振動や衝撃には、接触面９ｇ及び／又は９ｈにて振動や衝撃を吸収している。
【００２５】
この接触面９ｅ、９ｆ、９ｇおよび９ｈにより、表示パネルの表示面と平面方向から振動や衝撃を受けた場合でも、フロントフレーム９の側面９ａ、接触面９ｅ、９ｆ、９ｇおよび９ｈにて振動や衝撃を分散し受けることができ、フロントフレーム９とリアフレーム５の固定が外れるのを抑制することが可能である。
【００２６】
また、図５および図６に示す通り、フロントフレーム９の接続部９ｄに貫通部９ｉを設けた場合でも、ミドルフレーム８の接続部８ａとフロントフレーム９の接続部９ｄとが接する接触面９ｅ及び／又は９ｆと、接触面９ｇ及び／又は９ｈを設けることができ、フロントフレーム９の側面９ａ、接触面９ｅ及び／又は９ｆと、接触面９ｇ及び／又は９ｈにて振動や衝撃を分散し吸収することが可能である。
【００２７】
また、図７に示す通り、ミドルフレーム８にフロントフレーム９の貫通部９ｉと嵌合する突起部８ｂを設けた場合でも、ミドルフレーム８の突起部８ｂとフロントフレーム９の接続部９ｄとが接する接触面９ｅ、９ｆ、９ｇおよび９ｈにより、同様の効果を得ることが可能である。
【００２８】
次に、図８に示す通り、フロントフレーム９の表示パネル２の表示面２ａと略平行な面９ｃに、表示面２ａとは反対側の面（反表示面２ｂ）側へ突出し、ミドルフレーム８に形成された切り欠き部８ｃと嵌合する接続部９ｄを有し、ミドルフレーム８と接する接触面９ｆと、リアフレーム５の側面５ａと接する接触面９ｊを設けている。この接触面９ｆおよび９ｊにおいても、同様の効果を得ることが可能である。
【００２９】
なお、本実施の形態において、組立作業の容易性から、フロントフレーム９の接続部９ｄが、ミドルフレーム８の１辺に沿って設けられた接続部８ａの両端部にそれぞれ１箇所ずつ設けられ、接触面９ｅ、９ｆ、９ｇおよび９ｈにて接触している場合を説明したが、接続部９ｄを、ミドルフレーム８の接続部８ａと全ての面にて接触するよう形成することで、フロントフレーム９の表示パネル２の表示面２ａと略平行な面９ｃに、１箇所だけ接続部９ｄを設ければよいため、フロントフレーム９の構造を単純化することが可能となる。
【００３０】
また、フロントフレーム９の表示パネル２の表示面２ａと略平行な４辺の面９ｃに、接続部９ｄを設けることで、フロントフレーム９とリアフレーム５の固定が外れるのをより確実に抑制することが可能である。
【００３１】
また、本実施の形態１においては、フロントフレーム９の接続部９ｄが、フロントフレーム９の１辺に２箇所形成されている場合を説明したが、フロントフレーム９とリアフレーム５の固定が外れるのを抑制ができるよう、位置、数、形状は全体の構造を鑑みて任意に決定する事ができる。
【００３２】
実施の形態２．
発明の実施の形態２を図９〜図１２により説明する。本実施の形態２においては、光源１、表示パネル２、導光板３、反射シート４、光学シート類６、ランプリフレクタ７の構成は、前記実施の形態１と同様であり、同一の符号を付してここでは説明を省略する。以降の説明は特にリアフレーム５、ミドルフレーム８およびフロントフレーム９の形状について図９〜図１２を用いて説明する。ここで図１〜図８と同じ構成部分については同一の符号を付している。
【００３３】
図９および図１０は本発明実施の形態２におけるリアフレーム５とフロントフレーム９の接続方法を説明する図、図１１および図１２は本発明実施の形態２におけるリアフレーム５、ミドルフレーム８およびフロントフレーム９の接続方法を説明する図である。
【００３４】
図９において、リアフレーム５には、リアフレーム５の表示パネル２の表示面２ａ側とは反対側の面５ｃに、外側へ突出した突起部５ｄが形成されており、リアフレーム５の面５ｃと重畳するフロントフレーム９の面９ｋに設けられた接続部である孔９ｒと嵌合している。
【００３５】
このような構成とすることにより、表示パネルの表示面と平面方向から振動や衝撃を受けた場合でも、フロントフレーム９とリアフレーム５の固定が外れるのを抑制することが可能である。
【００３６】
また、図１０に示す通り、リアフレーム５の突起部５ｄは、フロントフレーム９の面９ｋに、リアフレーム５の面５ｃ側へ突出し設けられた接続部である突起部９ｓと嵌合し、接触面９ｔを設けているため、同様の効果を得ることが可能である。
【００３７】
なお、図９および図１０に示すリアフレーム５とフロントフレーム９の接続方法を、対向する２辺に設けるとより効果的である。
【００３８】
次に、図１１に示す通り、ミドルフレーム８には、ミドルフレーム８の表示パネル２の表示面２ａ側とは反対側の面８ｄに、外側へ突出した突起部８ｅが形成されており、ミドルフレーム８の面８ｄと重畳するリアフレーム５の面５ｅに設けられた貫通孔５ｆおよびリアフレーム５の面５ｃと重畳するフロントフレーム９の面９ｋに設けられた孔９ｒと嵌合している。
【００３９】
このような構成とすることにより、表示パネルの表示面と平面方向から振動や衝撃を受けた場合でも、フロントフレーム９とリアフレーム５の固定が外れるのをより確実に抑制することが可能である。なお、図９および図１１では、フロントフレーム９の孔９ｒは貫通しているが、リアフレーム５の突起部５ｄまたはミドルフレーム８の突起部８ｅと嵌合可能であれば貫通していなくとも問題はない。
【００４０】
また、図１２に示す通り、フロントフレーム９の面９ｋに、リアフレーム５の面５ｃ側へ突出し設けられた接続部である突起部９ｓは、リアフレーム５の面５ｅに設けられた貫通孔５ｆおよびミドルフレーム８の面８ｄに設けられた孔８ｆと嵌合しているため、同様の効果を得ることが可能である。なお、図１２では、フロントフレーム９の突起部９ｓは、ミドルフレーム８の面８ｄに設けられた孔８ｆにて嵌合しているが、リアフレーム５の貫通孔５ｆにて嵌合させた場合でも問題はない。その他は実施の形態１と同様である。
【００４１】
実施の形態３．
発明の実施の形態３を図１３および図１４により説明する。本実施の形態においては、光源１、表示パネル２、導光板３、反射シート４、リアフレーム５、光学シート類６、ランプリフレクタ７の構成は、前記実施の形態１又は実施の形態２と同様であり、同一の符号を付してここでは説明を省略する。以降の説明は特にミドルフレーム８とフロントフレーム９の形状について図１３および図１４を用いて説明する。ここで図１〜図１２と同じ構成部分については同一の符号を付している。
【００４２】
図１３（ａ）および図１４（ａ）は本発明実施の形態３におけるミドルフレーム８とフロントフレーム９の接続方法を説明する図、図１３（ｂ）および図１４（ｂ）は本発明実施の形態３におけるミドルフレーム８の接続部を説明する拡大図、図１３（ｃ）および図１４（ｃ）は本発明実施の形態３におけるフロントフレーム９の折り曲げ部を説明する拡大図である。
【００４３】
図１３および図１４において、フロントフレーム９の側面９ａには、内側に折り曲げられ、孔９ｖまたは突起部９ｗを有する折り曲げ部９ｙが設けられており、ミドルフレーム８のフロントフレーム９の側面９ａと対向する側面８ｇに設けられた切欠部８ｈにおいて、フロントフレーム９の孔９ｖまたは突起部９ｗが、ミドルフレーム８の接続部である凸部８ｉまたは凹部８ｊと接続している。なお、孔９ｖは、凸部８ｉと接続可能であれば、貫通していなくとも問題はない。
【００４４】
このような構成とすることで、表示パネルの表示面と平面方向から振動や衝撃を受けた場合でも、フロントフレーム９とリアフレーム５の固定が外れるのを抑制することが可能である。
【００４５】
なお、図１３および図１４では、ミドルフレーム８とフロントフレーム９の接続部は１箇所だけであるが、フロントフレーム９とリアフレーム５の固定が外れるのを抑制可能であれば、位置、数、形状は全体の構造を鑑みて任意に決定する事ができる。
【００４６】
以上、本発明を実施の形態１〜３について説明したが、それぞれ実施の形態を適宜組み合わせて用いてもよい。
【００４７】
なお、本実施の形態１〜３においては、導光板３として板状のものを用いているが、それに限定されることなく、例えば光源１から離れるにつれて導光板３の厚みが薄くなる楔形にすることで、入光した光を効率よく取り出すことができ、前記光を出光面３ｃに効率よく導くことができる。
【図面の簡単な説明】
【００４８】
【図１】本発明の実施の形態１における表示装置の分解斜視図
【図２】図１分解図を全て結合して表示装置を完成させた場合の平面図
【図３】図２におけるＡ−Ａ断面図
【図４】図２におけるＢ−Ｂ断面図
【図５】本発明の実施の形態１における他のフレーム固定構造を説明する図
【図６】本発明の実施の形態１における他のフレーム固定構造を説明する図
【図７】本発明の実施の形態１における他のフレーム固定構造を説明する図
【図８】本発明の実施の形態１における他のフレーム固定構造を説明する図
【図９】本発明実施の形態２におけるリアフレームとフロントフレームの接続方法を説明する図
【図１０】本発明実施の形態２における他のリアフレームとフロントフレームの接続方法を説明する図
【図１１】本発明実施の形態２におけるリアフレーム、ミドルフレームおよびフロントフレームの接続方法を説明する図
【図１２】本発明実施の形態２における他のリアフレーム、ミドルフレームおよびフロントフレームの接続方法を説明する図
【図１３】本発明実施の形態３におけるミドルフレームとフロントフレームの接続方法を説明する図
【図１４】本発明実施の形態３における他のミドルフレームとフロントフレームの接続方法を説明する図
【符号の説明】
【００４９】
１  光源、２  表示パネル、２ａ  表示面、２ｂ  反表示面、３  導光板、３ａ  導光板側面、３ｂ  反出光面、３ｃ  出光面、４  反射シート、５  リアフレーム、５ａ  リアフレーム側面、５ｂ  爪受け部、５ｃ  リアフレームの表示面側とは反対側の面、５ｄ  突起部、５ｅ  ミドルフレームと重畳する面、５ｆ  貫通孔、６  光学シート類、７  ランプリフレクタ、８  ミドルフレーム、８ａ  ミドルフレームの接続部、８ｂ  突起部、８ｃ  切り欠き部、８ｄ  ミドルフレームの表示面側とは反対側の面、８ｅ  突起部、８ｆ  孔、８ｇ  ミドルフレーム側面、８ｈ  切り欠き部、８ｉ  凸部、８ｊ  凹部、９  フロントフレーム、９ａ  フロントフレーム側面、９ｂ  固定爪、９ｃ  表示パネルの表示面と平行な面、９ｄ  フロントフレームの接続部、９ｅ〜９ｈ  ミドルフレームとの接触面、９ｉ  貫通部、９ｊ  リアフレームとの接触面、９ｋ  リアフレームと重畳する面、９ｒ  孔、９ｓ  突起部、９ｔ  リアフレームとの接触面、９ｖ  孔、９ｗ  突起部、９ｙ  折り曲げ部
【図１】
2008158306.tif 000003
【図２】
2008158306.tif 000004
【図３】
2008158306.tif 000005
【図４】
2008158306.tif 000006
【図５】
2008158306.tif 000007
【図６】
2008158306.tif 000008
【図７】
2008158306.tif 000009
【図８】
2008158306.tif 000010
【図９】
2008158306.tif 000011
【図１０】
2008158306.tif 000012
【図１１】
2008158306.tif 000013
【図１２】
2008158306.tif 000014
【図１３】
2008158306.tif 000015
【図１４】
2008158306.tif 000016
【手続補正書】
【提出日】平成19年9月27日(2007.9.27)
【手続補正１】
【補正対象書類名】特許請求の範囲
【補正対象項目名】請求項１
【補正方法】変更
【補正の内容】
【請求項１】
画像を表示する表示パネルと、
前記表示パネルが載置されたミドルフレームと、
前記ミドルフレームが内側に配置される、側面に爪受け部を有するリアフレームと、
前記表示パネルの表示面を露出させる開口部が設けられ、前記表示パネルの表示面と略平行な面に、表示面側とは反対の面側へ突出し、前記ミドルフレームと接続され、上下方向および左右方向の移動を抑制する接続部を有するし、側面には前記リアフレームの爪受け部と固定される固定爪を有する、金属材からなるフロントフレームとを備えることを特徴とする表示装置。
【手続補正２】
【補正対象書類名】特許請求の範囲
【補正対象項目名】請求項４
【補正方法】変更
【補正の内容】
【請求項４】
画像を表示する表示パネルと、
前記表示パネルが載置されたミドルフレームと、
前記ミドルフレームが内側に配置される、側面に爪受け部を有するリアフレームと、
前記表示パネルの表示面を露出させる開口部が設けられ、前記リアフレームの前記表示パネルの表示面側とは反対側の面と重畳する面に、前記ミドルフレームまたは前記リアフレームと接続する接続部を有するし、側面には前記リアフレームの爪受け部と固定される固定爪を有する、金属材からなるフロントフレームとを備えることを特徴とする表示装置。
【手続補正３】
【補正対象書類名】明細書
【補正対象項目名】００１１
【補正方法】変更
【補正の内容】
【００１１】
本発明による表示装置は、画像を表示する表示パネルを載置したミドルフレームが内側に配置される、側面に爪受け部を有するリアフレームと、表示パネルの表示面を露出させる開口部が設けられ、表示パネルの表示面と略平行な面に、表示面側とは反対の面側へ突出し、ミドルフレームと接続され、上下方向および左右方向の移動を抑制する接続部を有するし、側面には前記リアフレームの爪受け部と固定される固定爪を有する、金属材からなるフロントフレームとを備えることを特徴とする。